(57)【要約】【課題】電子機器をリモートによって設定・操作する場合、使用者が複雑な動作をせずに、また使用者が詳細な知識を持っていなくても、使用者の要望を最大限に活かすことができるデータ通信システムを提供することを目的とする。【解決手段】人体を介してデータ送受信が可能な人体通信端子を具備する第１の通話機と、人体を介してデータ送受信が可能な人体通信端子を具備する電子機器と、上記第１の通話機との間で、データ送受信・通話が可能である第２の通話機とを有するデータ通信システムである。【選択図】図１
2010136211.tif 000002
【特許請求の範囲】
【請求項１】
人体を介してデータ送受信が可能な人体通信端子を具備する第１の通話機と；
人体を介してデータ送受信が可能な人体通信端子を具備する電子機器と；
上記第１の通話機との間で、データ送受信・通話が可能である第２の通話機と；
を有することを特徴とするデータ通信システム。
【請求項２】
請求項１において、
上記第１の通話機と上記第２の通話機とは、それぞれ、データ送受信する機能を持ち、また、同時に通話を可能とする機能を有する通話機であることを特徴とするデータ通信システム。
【請求項３】
請求項１または請求項２において、
上記第１の通話機は、情報を送受信するために、人体と接触する接触部を具備し、上記電子機器は、情報を送受信するために、人体と接触する接触部を具備し、
人体を介して上記第１の通話機の接触部と上記電子機器の接触部とが接触することによって、上記第１の通話機と上記電子機器との間でデータ送受信し、上記第１の通話機と第２の通話機との間で通話すると同時に、データの送受信することを特徴とするデータ通信システム。
【請求項４】
請求項１において、
上記電子機器の状態情報を上記第１の通話機が受信し、上記第２の通話機から上記第１の通話機が受信した電子機器の設定・操作の制御信号を、上記電子機器へ送信することを特徴とするデータ通信システム。
【請求項５】
請求項１において、
上記第１の通話機と上記第２の通話機との間で送受信するデータは、上記電子機器の設定・操作の制御信号情報と、上記電子機器の設定・操作の制御信号と、上記電子機器の状態情報とであることを特徴とするデータ通信システム。
【請求項６】
請求項１または請求項５において、
上記第１の通話機は、
上記第１の通話機と上記電子機器との接触の有無を判断する判断手段と；
上記第１の通話機と上記電子機器とが非接触であることを、上記判断手段が判断すると、上記第２の通話機から転送されたデータを一時保存し、上記第１の通話機と上記電子機器とが接触していることを、上記判断手段が判断すると、上記電子機器との間で、データ送受信する送受信手段と；
を有する通話機であることを特徴とするデータ通信システム。
【請求項７】
請求項６において、
上記第１の通話機は、上記第１の通話機と上記電子機器との接触の有無について判断した判断結果を、上記第２の通話機に送信する送信手段を有する手段であり、
上記第２の通話機は、上記第１の通話機と上記電子機器との接触の有無についての判断結果を、第１の通話機から受信する受信手段を具備する手段であることを特徴とするデータ通信システム。
【請求項８】
人体通信端子を具備する第１の通話機と、人体通信端子を具備する電子機器との間で、データ送受信・通話を行う工程と；
上記第１の通話機と第２の通話機との間で、データ送受信・通話を行う工程と；
を有することを特徴とするデータ通信システムの制御方法。
【発明の詳細な説明】
【技術分野】
【０００１】
本発明は、データ通信システム及びデータ通信システムの制御方法に関し、特に、携帯電話を含む通話機器を利用し、遠隔で通信相手が所持する電子機器を制御する発明に関する。
【背景技術】
【０００２】
近年の電子機器の高性能化や高機能化の発展から、電子機器の操作・設定の自由度や様々な機能の実施が可能である。
【０００３】
しかし、その電子機器の操作・設定の自由度や様々な機能を実現するには、使用する機器の詳細な知識や複雑な操作を必要とすることが多々ある。
【０００４】
したがって、機器の詳細な知識や複雑な操作方法の知識をもたない人には、電子機器の取り扱い方法が分からず、機器の詳細な設定を行うことが困難である。または、機器を使用できないことさえある。そこで、詳細な知識がなくても、また、複雑な操作を行わずに、操作・設定が可能な電子機器のインタフェースが重要である。
【０００５】
しかし、更なるインタフェースの簡易化による対応では、操作の自由度や詳細な設定が困難であるので、必要十分な設定をすることができないという問題がある。
【０００６】
詳細な設定を行う場合、知識を持つ他人が設定・操作することによって、操作における自由度を確保し、詳細な設定が可能な電子機器の制御システムが必要である。この制御システムとして、無線ＬＡＮや有線ＬＡＮ、インターネット等の通信手段によって、詳細な知識をもつ他人が電子機器を操作・設定を行うか、または、操作・設定のファイルを送信するシステムが一般的である。
【０００７】
しかし、これらの通信手段を介して構築されるシステムは、使用者がそれらの通信手段に接続しなければならないので、上記接続のための設定を行う必要があり、それらの知識を持たない使用者には、上記システムを利用することができない。
【０００８】
また、近年では、人体を介してデータ送受信が可能な人体通信を利用したシステム（以下、「人体通信システム」という）の通信手段が確立されている。ユーザＩＤ、個人認証データ、電子錠等の機器で使用されるデータを取り込んだ人体通信装置によって、通信対象との間で、データ送受信を行い、ユーザのプライバシー保護や決済システムへの適切な運用への応用がされつつある。
【０００９】
また、携帯電話やメモリカード接続のカメラ等の端末間でのデータ送受信に、人体通信を利用する例も提案されている。この場合、上記端末機器は、データ転送を行う通信アダプタに接続され、人体に接する電極と通信アダプタとが接続されている。この接続を行っている人が、互いに接触（たとえば握手）すると、ある人の端末機器から別の人の端末機器に、人体を介して、データが送受信さる。または、同一人が、その片手に持っている機器から、もう片方の手にもっている機器に、データ送受信する等の通信が可能である。
【００１０】
上記従来技術は、たとえば、特許文献１、特許文献２、特許文献３に記載されている。
【特許文献１】特開２００６−０８１０２５号公報
【特許文献２】特開２００１−１４４６６２号公報
【特許文献３】特開２００７−０４３２８３号公報
【発明の開示】
【発明が解決しようとする課題】
【００１１】
上記人体通信システムは、データ送受信の際に、キーボード等の入力手段を用いたマニュアル入力を行う必要がないので、通信先等の複雑な設定を行わずに、情報を速く正確に伝送することができる点で優れている。しかし、最終的には、送受信する装置や人が、人体通信システムと直接接している場合にのみ、情報の伝送が可能である。
【００１２】
このために、情報の転送先設定が簡易であるが、機器の設定情報に関して、使用する機器の詳細な知識や複雑な操作が必要であることに変わりがなく、つまり、使用する機器の詳細な知識や複雑な操作が必要であるという問題がある。
【００１３】
また、他人が機器の設定を行う際には、接することのできる距離よりも遠距離から、リモートで操作・設定できるシステムである必要があるという問題がある。
【００１４】
さらに、インターネット等を介する通信手段では、接続の設定等から、簡便性に問題がある。この簡便性を維持するためには、人体を介する人体通信手段があるものの、遠距離からのリモートでの操作を行うことが困難であるという問題がある。
【００１５】
そして、リモートによって操作する場合、設定を行いながら、使用者に設定・操作を説明することが困難であるので、使用者の要望を活かすことは非常に困難であるという問題がある。
【００１６】
本発明は、電子機器をリモートによって設定・操作する場合、使用者が複雑な動作をせずに、また使用者が詳細な知識を持っていなくても、使用者の要望を最大限に活かすことができるデータ通信システムを提供することを目的とする。
【課題を解決するための手段】
【００１７】
本発明は、人体を介してデータ送受信が可能な人体通信端子を具備する第１の通話機と、人体を介してデータ送受信が可能な人体通信端子を具備する電子機器と、上記第１の通話機との間で、データ送受信・通話が可能である第２の通話機とを有するデータ通信システムである。
【発明の効果】
【００１８】
本発明によれば、電子機器をリモートによって設定・操作する場合、使用者が複雑な動作をせずに、また使用者が詳細な知識を持っていなくても、使用者の要望を最大限に活かすことができるという効果を奏する。
【発明を実施するための最良の形態】
【００１９】
発明を実施するための最良の形態は、次の実施例である。
【実施例１】
【００２０】
図１は、本発明の実施例１であるデータ通信システムＤＴ１を示す概略図である。
【００２１】
データ通信システムＤＴ１は、通話機１と、通話機２と、電子機器３とを有する。
【００２２】
使用者Ｕ１が、通話機１と電子機器３とを使用し、設定者ＳＰ１が、電子機器３を設定する。
【００２３】
電子機器３は、人体通信端子３ｔを有し、使用者Ｕ１の人体が人体通信端子３ｔに接触すると、その人体を介して、データ送受信が行われる。
【００２４】
また、通話機１は、使用者Ｕ１の人体を介して、データ送受信が可能な人体通信端子１ｔと、電子機器３の設定・操作・状況データを送受信可能なシステムと、音声データ送受信可能なシステムと、上記各機能を同時に起動可能な機能とを有する。
【００２５】
電子機器３の設定・操作・状況データを送受信可能なシステムは、外部機器接続手段１０１８と、通信回線手段１０１１とである。外部機器接続手段１０１８は、データ通信システムＤＴ２において、設定・操作する為のデータ（制御信号）の送信と、設定・操作の為のデータ（操作情報・制御信号情報・インクジェットプリンタ１０３の状態情報）の受信とを行うシステムである。通信回線手段１０１１は、操作する為のデータの受信と設定・操作のためのデータの送信とを行うシステムである。
【００２６】
上記音声データ送受信可能なシステムは、通話情報を送受信するシステム（通信回線手段１０１１）である。
【００２７】
通話機２は、設定者ＳＰ１が用い、電子機器３の設定・操作データを送受信可能なシステムと、電子機器３の状況データを受信可能なシステムと、音声データ送受信可能なシステムと、各機能を同時に起動可能な機能とを有する。
【００２８】
電子機器３の設定・操作データを送受信可能なシステムは、電子機器３の設定・操作データを携帯電話１０１と送受信するシステム（通信回線手段１０２１）である。電子機器３の状況データを受信可能なシステムは、電子機器３の状況データ（操作情報・制御信号情報・インクジェットプリンタ１０３の状態情報）を携帯電話１０１から受信するシステム（通信回線手段１０２１）である。音声データ送受信可能なシステムは、通話情報を送受信するシステム（通信回線手段１０２１）である。
【００２９】
通話機１と、通話機２とは、たとえば携帯電話のようなデータ通信と音声通信とが可能な通話機器であり、データ通信と音声通信とを同時に送受信している。そして、それぞれの通話機器で送受信しあう通話の音声データと、電子機器３の設定データとを区別し、通話データは、マイクから入力し、スピーカから出力する。設定データは、通話機２においては、受信後に画面に表示し、通話機２のインタフェースを使用して変更の操作を行い、その制御信号を送信する。
【００３０】
通話機２は、電子機器３の設定の為のデータ（データ通信システムＤＴ２において操作情報・制御信号情報・電子機器３の状態情報）と制御信号とを、通話機１との間で、無線通信方法で送受信する。通話機１は、通話機２から受け取ったデータを人体通信によって、電子機器３に送信し、電子機器３から受け取ったデータを通話機２に送信する。また、設定データや制御信号を送受信するときに、通話機１、２や電子機器３のモニタ（または、電子機器３や通話機１、２に接続されているモニタ）に表示することによって、プレビューや現設定を確認することができる。使用者Ｕ１も、設定データや制御信号を確認できるので、各操作への理解を可能とし、確認することによって、使用者Ｕ１の要望を認識できる。また、設定者ＳＰ１に、通話で伝える等の利便性も高く、さらに、設定者ＳＰ１も、状況データを確認しながら、使用者Ｕ１の要望を最大限に活用することができる。
【００３１】
図２は、本発明の実施例２であるデータ通信システムＤＴ２を示すブロック図である。
【００３２】
データ通信システムＤＴ２は、データ通信システムＤＴ１において、電子機器３として、インクジェットプリンタ１０３を使用し、通話機１、２の例として、携帯電話１０１、１０２を使用するシステムである。
【００３３】
なお、インクジェットプリンタ１０３を、電子機器３の例としているが、インクジェットプリンタ１０３に限定されるものではなく、レーザビームプリンタ、複写機、スキャナ、テレビ、ハードディスクレコーダ等を電子機器３として使用するようにしてもよい。設定や操作が必要な電子機器の全般において、人体通信機能によって、携帯電話または通話手段、操作手段を満たす他の機器で使用するようにしてもよい。
【００３４】
データ通信システムＤＴ２は、操作・設定しようとしているインクジェットプリンタ１０３と、使用者Ｕ１が使用する携帯電話１０１と、設定者ＳＰ１が使用する携帯電話１０２とによって構成されている。
【００３５】
設定者ＳＰ１、使用者Ｕ１は、それぞれ、携帯電話１０１、１０２によって通信を行う。操作情報、インクジェットプリンタ１０３の制御信号情報、インクジェットプリンタ１０３の状態情報、携帯電話１０１とインクジェットプリンタ１０３との接続状態等、インクジェットプリンタ１０３を設定・操作するデータと、状態、命令情報とを通信する。
【００３６】
また、携帯電話１０１は、携帯電話１０２との通信とは別に、同時にインクジェットプリンタ１０３と通信する。この場合、使用者Ｕ１を介する人体通信によって通信し、接続している期間のみ、通信を実行する。非接続期間は、携帯電話１０１が接続されていない状態であると認識する。
【００３７】
インクジェットプリンタ１０３と通信するに際して、インクジェットプリンタ１０３を設定・操作するために携帯電話１０１が必要である。携帯電話１０１は、携帯電話１０２に通信するためのデータをインクジェットプリンタ１０３に要求し受信する。また、携帯電話１０２から受け取るインクジェットプリンタ１０３の設定・操作のための信号を、人体通信によってインクジェットプリンタ１０３に送信する。
【００３８】
インクジェットプリンタ１０３を設定・操作するために必要なデータは、携帯電話１０１を介して、携帯電話１０２に送信され、携帯電話１０２において設定・操作に必要な命令を作成し、携帯電話１０１を介して、インクジェットプリンタ１０３に送信される。また、携帯電話１０１とインクジェットプリンタ１０３とは、人体通信によって接続されるので、インクジェットプリンタ１０３に設けられている人体通信端子１０３ｔに、使用者Ｕ１が接触している期間のみ、通信が行われる。同時に、各通信の行われている期間は、携帯電話１０１と携帯電話１０２との間で、常に通話を実施することができる。
【００３９】
図３は、携帯電話１０２の構成の概略を示すブロック図であり、図４は、携帯電話１０２における動作を示すフローチャートである。
【００４０】
携帯電話１０２の通信先は、携帯電話１０１である。この通信では、インクジェットプリンタ１０３の操作情報、インクジェットプリンタ１０３の制御信号情報、インクジェットプリンタ１０３の状態情報、携帯電話１０１とインクジェットプリンタ１０３との接続状態等を、携帯電話１０２が受信する。また、インクジェットプリンタ１０３を設定・操作するためのデータと状態とを、携帯電話１０２が受信する（Ｓ２０１１）。
【００４１】
また、上記受信データを要求するための制御信号を送信する。そして上記受信データを受信後に受信データから操作手段から入力し（Ｓ２０１６）、作成したインクジェットプリンタ１０３の設定・操作信号を記憶手段に一旦保存（Ｓ２０１８）し、通信回線手段から送信する（２０１９）。同時に、携帯電話１０１と常に通話を実施することができる（Ｓ２０１７）。
【００４２】
上記受信するデータを、通信回線手段１０２１が受信する（Ｓ２０１１）。受信されたデータは、端末制御手段１０２２の内部で、通話情報と、インクジェットプリンタ１０３を設定・操作するためのデータとに識別される（Ｓ２０１２）。識別された通話情報は、スピーカ１０２６に出力（Ｓ２０１５）され、また、マイク１０２７を介して入力された通話情報を、端末制御手段１０２２が、通信回線手段１０２１を介して、携帯電話１０１に送信する（Ｓ２０１７）。また。識別された設定・操作のためのデータは、記憶手段１０２３に保存（Ｓ２０１３）され、表示手段１０２４に表示（Ｓ２０１４）される。表示内容に応じて、適切な設定・操作のためのデータが、操作手段１０２５を介して入力され、端末制御手段１０２２が、通信回線手段１０２１を介して、携帯電話１０１に送信する。
【００４３】
図５は、携帯電話１０１の構成の概略を示すブロック図である。外部機器接続手段１０１８は、人体通信端子であり、ＵＳＢなどの端子に人体通信端子を接続することができる。
【００４４】
携帯電話１０１の通信先は、携帯電話１０２と、インクジェットプリンタ１０３とである。携帯電話１０１は、携帯電話１０２にデータ要求のための制御信号、インクジェットプリンタ１０３を設定操作する設定操作信号を送信する。
【００４５】
図６は、携帯電話１０１の動作を示すフローチャートである。
【００４６】
通信回線手段１０１１が携帯電話１０２からデータを受信する（２０２０）。この受信したデータを、端末制御手段１０１２の内部で、通話情報と、インクジェットプリンタ１０３を設定・操作する設定・動作データとに識別（Ｓ２０２１）する。識別された通話情報を、端末制御手段１０１２が、スピーカ１０１６に出力（Ｓ２０２４）する。マイク１０１７を介して入力された通話情報を、端末制御手段１０１２が、通信回線手段１０１１を介して、携帯電話１０２に送信（Ｓ２０３２）する。識別した設定・操作データを、記憶手段１０１３に保存（Ｓ２０２２）し、表示手段１０１４に表示（Ｓ２０２３）する。
【００４７】
インクジェットプリンタ１０３に送信し、インクジェットプリンタ１０３を設定・操作するために、表示されている設定・操作内容を、使用者Ｕ１が確認（Ｓ２０２６）し、操作手段１０１５を介して、使用者Ｕ１が、承認・許可の指示を入力（Ｓ２０３９）する。端末制御手段１０１２が、通信回線手段１０１１を介して、上記承認・許可の指示を、インクジェットプリンタ１０３に送信する。
【００４８】
また、携帯電話１０１とインクジェットプリンタ１０３との間で通信する場合、人体通信を行い、使用者Ｕ１が、携帯電話１０１の人体通信端子１０１ｔとインクジェットプリンタ１０３の人体通信端子１０３ｔとに接触することによって通信する（Ｓ２０２７）。
【００４９】
接触され、人体通信の送信先を検知するまで、待機する。詳細な接続方法や接続先の設定を行わずに、使用者Ｕ１が、人体通信端子１０１ｔと１０３ｔとに接触するだけで、通信が可能になる。
【００５０】
また、使用者Ｕ１の人体が人体通信端子１０１ｔ、１０３ｔと非接触状態では、設定・操作を行わないので、理解していない設定・操作が行われない。しかし、操作手段を介して、承認・許可を入力（パスワードの設定等）することによって、通信する設定を行えば、セキュリティをより高めることができる。
【００５１】
携帯電話１０１に、外部機器接続手段１０１８（人体通信端子）が設けられている。
【００５２】
図７は、インクジェットプリンタ１０３の構成の概略を示す図である。
【００５３】
図８は、図７の構成において、インクジェットプリンタ１０３が送受信する動作を示すフローチャートである。
【００５４】
Ｓ２０３４で、外部機器接続手段１０３１（人体通信端子）から、設定・操作信号を受信し、Ｓ２０３５で、端末制御手段１０３２が設定・操作を実行する。その後に、Ｓ２０３６で、結果や途中経過のデータを、外部機器接続手段１０３１を介して、携帯電話１０１に送信する。設定・操作信号が、設定・操作のための情報要求である場合も、同様に、携帯電話１０１に送信する。また、インクジェットプリンタ１０３が、表示手段１０３３を持つ場合、表示手段１０３３にも出力する。
【００５５】
図９は、実施例１用に使用されるアプリケーションの構成の概略を示す図である。
【００５６】
アプリケーションは、携帯電話１０２、携帯電話１０１、インクジェットプリンタ１０３に搭載されている。ここでは、携帯電話１０２のアプリケーションをホストとする動作について説明する。
【００５７】
携帯電話１０２のアプリケーションは、通話開始と共に起動し、携帯電話１０１のアプリケーションの起動リクエストを、携帯電話１０１に送信する。起動リクエストを受信した携帯電話１０１は、アプリケーションを起動し、携帯電話１０１がアプリケーションを起動した状態であることを示す起動アック信号を、携帯電話１０２に送信する。
【００５８】
携帯電話１０２は、起動アック信号を確認すると、設定・操作を行う電子機器である携帯電話１０２にデータリクエスト信号を送信し、携帯電話１０１は、携帯電話１０２から受信したデータリクエスト信号を保存し、インクジェットプリンタ１０３に送信する。
【００５９】
ここで、携帯電話１０１とインクジェットプリンタ１０３とは、人体通信方法によって通信を行うので、使用者Ｕ１が、携帯電話１０１の人体通信端子１０１ｔと、インクジェットプリンタ１０３の人体通信端子１０３ｔとに接触する必要がある。接触されるまで、データリクエスト信号を送ることができる準備状態で待機し、同時に行っている通話によって、設定者ＳＰ１は、使用者Ｕ１に接触を促すことが可能である。
【００６０】
上記接触によって、データリクエスト信号をインクジェットプリンタ１０３が受信することによって、携帯電話１０１に向けて、少なくともインクジェットプリンタ１０３の操作情報・制御信号情報・状態情報を送信する。
【００６１】
携帯電話１０１は、受信したデータを保存し、表示し、また、携帯電話１０２に送信する。また、携帯電話１０１とインクジェットプリンタ１０３との接続状態は、携帯電話１０１が常に確認し、上記接続状態のデータを、携帯電話１０２に送る。これによって、接続する必要のある場合（インクジェットプリンタ１０３にデータを送受信する必要がある場合）、設定者ＳＰ１に、接触を促すことができる。また、各データを受信した携帯電話１０２は、記憶手段１０２３に保存し、表示する。ここで、携帯電話１０２において、インクジェットプリンタ１０３を設定・操作するためのデータが揃い、設定・操作の内容を携帯電話１０２の操作手段を介して入力し、制御信号（コマンド）を決定し、携帯電話１０１に送信する。
【００６２】
携帯電話１０１が、決定された制御信号（コマンド）を受信し、記憶手段１０１３に保存した後に、表示する。表示された内容によって、使用者Ｕ１の承認の可否を、携帯電話１０１の操作手段を介して、決定することも可能である。そして、上記人体通信方法によって使用者Ｕ１の人体を介して、インクジェットプリンタ１０３に送信する。また、インクジェットプリンタ１０３が受信することによって、インクジェットプリンタ１０３は、受信した制御信号に従って、インクジェットプリンタ１０３の設定・操作を実行する。また、実行中は、インクジェットプリンタ１０３の状態データを送信し、実行後には、状態データと実行の結果とを送信することによって、携帯電話１０１を介し、同データを受信した携帯電話１０２によって、設定者ＳＰ１も状況を確認することができる。
【００６３】
図９に示す例に沿って、携帯電話１０２のアプリケーションをホストとした動作について説明した。しかし、アプリケーションの起動リクエスト・データリクエストの送信を、携帯電話１０１から実行することによって、携帯電話１０１のアプリケーションをホストとした動作を実行することも可能である。
【００６４】
上記実施例は、インクジェットプリンタ１０３を利用する際の設定や操作に関して、実行する例であり、最良な手段として提示した。しかし、上記実施例を、インクジェットプリンタ１０３に限らず、人体通信端子を持ち、詳細な知識や使用経験を必要とする複雑な操作や制御を行う電子機器に適用するようにしてもよい。
【００６５】
上記実施例において、通話機１、携帯電話１０１は、人体を介してデータ送受信が可能な人体通信端子を具備する第１の通話機の例である。通話機２、携帯電話１０２は、上記第１の通話機との間で、データ送受信・通話が可能である第２の通話機の例である。電子機器３、インクジェットプリンタ１０３は、人体を介してデータ送受信が可能な人体通信端子を具備する電子機器の例である。
【００６６】
この場合、上記第１の通話機と上記第２の通話機とは、それぞれ、データ送受信する機能を持ち、また、同時に通話を可能とする機能を有する通話機である。
【００６７】
また、上記第１の通話機は、情報を送受信するために、人体と接触する接触部を具備し、上記電子機器は、情報を送受信するために、人体と接触する接触部を具備する。そして、人体を介して上記第１の通話機の接触部と上記電子機器の接触部とが接触することによって、上記第１の通話機と上記電子機器との間でデータ送受信する。なお、人体通信端子３ｔ、１０１ｔ、１０３ｔは、上記接触部の例である。
【００６８】
そして、上記電子機器の状態情報を上記第１の通話機が受信し、上記第２の通話機から上記第１の通話機が受信した電子機器の設定・操作の制御信号を、上記電子機器へ送信する。また、上記第１の通話機と上記第２の通話機との間で送受信するデータは、上記電子機器の設定・操作の制御信号情報と、上記電子機器の設定・操作の制御信号と、上記電子機器の状態情報とである。
【００６９】
さらに、上記第１の通話機は、上記第１の通話機と上記電子機器との接触の有無を判断する判断手段と、送受信手段とを有する。上記送受信手段は、上記第１の通話機と上記電子機器とが非接触であることを、上記判断手段が判断すると、上記第２の通話機から転送されたデータを一時保存する。また、上記送受信手段は、上記第１の通話機と上記電子機器とが接触していることを、上記判断手段が判断すると、上記電子機器との間で、データ送受信する。
【００７０】
上記第１の通話機は、上記第１の通話機と上記電子機器との接触の有無について判断した判断結果を、上記第２の通話機に送信する送信手段を有する手段である。上記第２の通話機は、上記第１の通話機と上記電子機器との接触の有無についての判断結果を、第１の通話機から受信する受信手段を具備する手段である。
【００７１】
なお、上記実施例における構成要素（手段等）を、工程に置き換えれば、上記実施例を、データ通信システムの制御方法として把握することができる。
【００７２】
上記実施例によれば、使用者が前提となる詳細な知識をもたず、または複雑な操作を行う知識をもたなくても、設定者に要望を伝えれば、詳細な知識をもつ設定者によって要望をかなえることができる。
【００７３】
また、上記実施例によれば、使用者は通話を行いながら電子機器の人体通信端子３ｔに触れるだけで、設定者による設定や操作が実現することができる。
【００７４】
さらに、上記実施例によれば、プレビューや設定状況を確認しながら通話で要望を伝え、結果を確認することができるので、要望の活用や電子機器の各操作への理解を最大限に進めることができる。
【００７５】
そして、上記実施例によれば、電子機器のサポートとして様々な設定を直接行うこと等ができるので、使い勝手、信頼性、サービス性も向上する。
【図面の簡単な説明】
【００７６】
【図１】本発明の実施例１であるデータ通信システムＤＴ１を示す概略図である。
【図２】本発明の実施例２であるデータ通信システムＤＴ２のブロック図である。
【図３】携帯電話１０２の構成の概略を示すブロック図である。
【図４】携帯電話１０２における動作を示すフローチャートである。
【図５】携帯電話１０１の構成の概略を示すブロック図である。
【図６】携帯電話１０１の動作を示すフローチャートである。
【図７】インクジェットプリンタ１０３の構成の概略を示す図である。
【図８】図７の構成において、インクジェットプリンタ１０３が送受信する動作を示すフローチャートである。
【図９】実施例１用に使用されるアプリケーションの構成の概略を示す図である。
【符号の説明】
【００７７】
ＤＴ１…データ通信システム、
１、２…通話機、
３…電子機器、
３ｔ…人体通信端子、
ＤＴ２…データ通信システム、
１０１、１０２…携帯電話、
１０３…インクジェットプリンタ、
１０３ｔ…人体通信端子、
Ｕ１…通話機１、携帯電話１０１の使用者、
ＳＰ１…電子機器３、インクジェットプリンタ１０３の設定者。
【図１】
2010136211.tif 000003
【図２】
2010136211.tif 000004
【図３】
2010136211.tif 000005
【図４】
2010136211.tif 000006
【図５】
2010136211.tif 000007
【図６】
2010136211.tif 000008
【図７】
2010136211.tif 000009
【図８】
2010136211.tif 000010
【図９】
2010136211.tif 000011